(57)【要約】【課題】ユーザ画像の考査の作業負荷を低減する考査処理装置及び印画物作製システムを提供する。【解決手段】考査処理装置は、ユーザ端末からユーザ画像を受信する受信部１１と、前記ユーザ画像を用いた印画物の注文を受け付ける注文処理部１３と、前記ユーザ画像の考査を行う考査処理部１４と、注文内容と考査結果とを含む履歴情報を記憶する履歴情報記憶部２７と、を備える。注文処理部１３が過去の注文を利用した印画物の注文を受け付けた場合、考査処理部１４は前記履歴情報を参照し、前記過去の注文の考査結果に基づいて、受け付けた今回の注文に対する考査を行うか否か判定する。【選択図】図１
2019053410.tif 000002
【特許請求の範囲】
【請求項１】
ユーザ端末からユーザ画像を受信する受信部と、
前記ユーザ画像を用いた印画物の注文を受け付ける注文処理部と、
前記ユーザ画像の考査を行う考査処理部と、
注文内容と考査結果とを含む履歴情報を記憶する履歴情報記憶部と、
を備え、
前記注文処理部が過去の注文を利用した印画物の注文を受け付けた場合、前記考査処理部は前記履歴情報を参照し、前記過去の注文の考査結果に基づいて、受け付けた今回の注文に対する考査を行うか否か判定することを特徴とする考査処理装置。
【請求項２】
前記注文処理部が前記過去の注文と同一注文内容となる再注文を受け付け、前記過去の注文の考査結果が印画物作製可である場合、前記考査処理部は、今回の注文に対する考査は不要と判定することを特徴とする請求項１に記載の考査処理装置。
【請求項３】
前記注文処理部が前記過去の注文を複製し、編集した注文を受け付けた場合に、前記過去の注文と今回の注文とのプリントデータの差分を抽出する差分抽出部をさらに備えることを特徴とする請求項１又は２に記載の考査処理装置。
【請求項４】
前記差分を考査者端末に通知することを特徴とする請求項４に記載の考査処理装置。
【請求項５】
請求項１乃至４のいずれかに記載の考査処理装置と、
前記考査処理部により印画物作製可と判定された注文に基づいて、前記ユーザ画像を含むプリント用画像を物品に印画して印画物を作製するプリンタと、
を備える印画物作製システム。
【発明の詳細な説明】
【技術分野】
【０００１】
本発明は、考査処理装置及び印画物作製システムに関する。
【背景技術】
【０００２】
従来、デジタルカメラやスマートフォン等で撮影した画像を、ネットワーク上にアップロードして保存することが行われている。また、アップロードした画像をプリントして、フォトブックやポスター等を作製するサービスが知られている（例えば特許文献１参照）。
【０００３】
フォトブックを作製するにあたり、サービス提供者は、顧客からアップロードされた画像がフォトブックに適した画像であるか否か等を判定する、いわゆる考査を行っている。例えば、考査では、画像が著作権や肖像権を侵害していないか、公序良俗に反していないか、不正転売の目的がないかなどを判断する。
【０００４】
従来、考査は人手による目視で行っていた。そのため、フォトブックの注文数の増加に伴い、人的コストの増加や、考査業務の遅延に伴うフォトブックの納品遅延等の問題が発生するおそれがあった。
【先行技術文献】
【特許文献】
【０００５】
【特許文献１】特開２００５−３３９２１４号公報
【発明の概要】
【発明が解決しようとする課題】
【０００６】
本発明は、ユーザ画像の考査の作業負荷を低減する考査処理装置及び印画物作製システムを提供することを課題とする。
【課題を解決するための手段】
【０００７】
本発明による考査処理装置は、ユーザ端末からユーザ画像を受信する受信部と、前記ユーザ画像を用いた印画物の注文を受け付ける注文処理部と、前記ユーザ画像の考査を行う考査処理部と、注文内容と考査結果とを含む履歴情報を記憶する履歴情報記憶部と、を備え、前記注文処理部が過去の注文を利用した印画物の注文を受け付けた場合、前記考査処理部は前記履歴情報を参照し、前記過去の注文の考査結果に基づいて、受け付けた今回の注文に対する考査を行うか否か判定するものである。
【０００８】
本発明の一態様では、前記注文処理部が前記過去の注文と同一注文内容となる再注文を受け付け、前記過去の注文の考査結果が印画物作製可である場合、前記考査処理部は、今回の注文に対する考査は不要と判定する。
【０００９】
本発明の一態様では、前記注文処理部が前記過去の注文を複製し、編集した注文を受け付けた場合に、前記過去の注文と今回の注文とのプリントデータの差分を抽出する差分抽出部をさらに備える。
【００１０】
本発明の一態様では、前記差分を考査者端末に通知する。
【００１１】
本発明による印画物作製システムは、本発明の考査処理装置と、前記考査処理部により印画物作製可と判定された注文に基づいて、前記ユーザ画像を含むプリント用画像を物品に印画して印画物を作製するプリンタと、を備えるものである。
【発明の効果】
【００１２】
本発明によれば、ユーザ画像の考査の作業負荷を低減できる。
【図面の簡単な説明】
【００１３】
【図１】本発明の実施形態に係る印画物作製システムの概略図である。
【図２】注文履歴画面の一例を示す図である。
【図３】同実施形態に係るサーバ装置の構成及び機能ブロックを示す図である。
【図４】注文情報のデータ構造の例を示す図である。
【図５】履歴情報のデータ構造の例を示す図である。
【図６】再注文での注文処理を説明するフローチャートである。
【図７】複製での注文処理を説明するフローチャートである。
【図８】同実施形態に係る考査処理を説明するフローチャートである。
【発明を実施するための形態】
【００１４】
以下、本発明の実施の形態を図面に基づいて説明する。
【００１５】
図１に示すように、本発明の実施形態に係る印画物作製システムは、サーバ装置１及び考査者端末３を備える。サーバ装置１は、インターネット等の通信ネットワークを介して、考査者端末３及びユーザ端末７と通信可能となっている。サーバ装置１は、ユーザ端末７からアップロードされたユーザ画像を保存する。
【００１６】
ユーザ端末７は、ＰＣ、スマートフォン、タブレット端末等である。ユーザ画像は、例えば、ユーザがデジタルカメラやスマートフォン等で撮影した画像である。
【００１７】
ユーザは、印画物の新規注文に際し、ユーザ画像をアップロードし、好みのフレームやスタンプ等の編集アイテムと合成する編集操作を行う。ユーザは、編集操作により作成した合成画像（プリント用画像）を印画する物品や個数を選択し、料金の支払い方法を選択し、プリント注文を完了する。
【００１８】
サーバ装置１は、ユーザ（ユーザ端末７）からプリント注文を受け付けると、考査処理を行い、プリント用画像に含まれるユーザ画像が、印画物の作製に使用してよい画像であるか否かを判定する。例えば、サーバ装置１は、ユーザ画像が、著名人画像を含む、著作権や肖像権を侵害する画像か否かを判定する。
【００１９】
サーバ装置１は、著名人画像が含まれていない印画物作製可能なユーザ画像であると判定した場合、プリント注文内容及びプリントデータ（プリント用画像データ）を工場５へ送信する。
【００２０】
プリント注文に、サーバ装置１が印画物作製可と判定しなかったユーザ画像、すなわち著名人画像（著名人に類似している画像）が含まれている場合、サーバ装置１は判定結果を考査者端末３へ通知する。考査者が、考査者端末３を操作して、サーバ装置１が印画物作製可と判定しなかったユーザ画像を目視確認し、考査を行う。
【００２１】
考査者により、著名人でなく、著名人に似ている人物であると判定されると、サーバ装置１は、注文内容を含むプリントデータを工場５へ送信する。
【００２２】
ユーザ画像に著名人が写っている場合、考査者は、注文者に連絡し、画像の出所や、著名人との関係を問い合わせる。
【００２３】
工場５に設置されたプリンタ（図示略）は、受信したプリントデータを用いて印画処理を行い、指定された物品にプリント用画像を印画して印画物６を作製する。作製される印画物６は、写真、ポスター、カレンダー、フォトブック、バッチ、マグカップなどである。工場５で作製された印画物６は、ユーザへ配送される。
【００２４】
サーバ装置１は、プリント注文内容及び考査結果を含む履歴情報を保存している。注文者は、新規注文以外に、過去の注文内容を利用してプリント注文を行うことができる。過去の注文内容を利用したプリント注文には「再注文」と「複製」の２種類がある。「再注文」は、前回注文したものと全く同じものを再度注文することをいう。「複製」は、前回注文したものを編集し、文字やスタンプを変更したり、画像の入れ替え・追加等を行ったりして注文することをいう。
【００２５】
例えば、ユーザ端末７を用いてサーバ装置１にアクセスし、過去の注文履歴を呼び出すと、図２のような注文履歴画面が表示される。この注文履歴画面で複製ボタンＢ１を押すと、前回注文の内容が呼び出され、編集画面が表示される。注文者は、編集画面で編集操作を行う。
【００２６】
注文履歴画面で再注文ボタンＢ２を押すと、注文画面が表示される。注文者が注文画面で注文数を選択し、必要に応じて決済処理を行うと、注文が完了する。
【００２７】
注文履歴画面でプレビューボタンＢ３を押すと、前回注文の内容が表示される。
【００２８】
サーバ装置１は、「再注文」によるプリント注文を受け付けると、利用された過去の注文の考査結果を確認する。過去の注文が印画物作製可と判定されている場合、サーバ装置１は、同一内容の今回注文も印画物作製可と判定し、考査処理を省略する。
【００２９】
同様に、サーバ装置１は、「複製」によるプリント注文を受け付けると、利用された過去の注文の考査結果を確認する。過去の注文が印画物作製可と判定されている場合、サーバ装置１は、過去の注文と今回注文との差分を抽出する。サーバ装置１（又は考査者）が、差分発生箇所に問題がないか確認・判定する。例えば、過去の注文と今回注文との差分が、文字の色を変えた程度のわずかなものである場合、問題ないと判定する。差分発生箇所に問題がない場合、サーバ装置１は、今回注文も印画物作成可と判定し、考査処理を省略する。
【００３０】
このように、本実施形態によれば、サーバ装置１が、ユーザがアップロードしたユーザ画像の考査（１次考査）を行い、考査者は、１次考査で著名人（著名人に類似した人物）が写っていると判定されたユーザ画像だけを確認すればよい。そのため、人手（目視）で行う考査対象の画像数を削減することができる。
【００３１】
また、「再注文」や「複製」のように過去の注文を利用したものである場合、過去の注文の考査結果を利用し、考査処理を省略する。これにより、考査の作業負荷をさらに低減できる。多数のプリント注文があった場合でも、考査のための人的コストの増加を抑えると共に、印画物６を早期にユーザに納品することができる。
【００３２】
次に、サーバ装置１の構成について説明する。サーバ装置１は、新規注文では、ユーザ端末７からユーザ画像を受信し、画像編集画面を生成してユーザ端末７へ送信し、画像編集操作及びフォトブックのプリント注文を受け付け、ユーザ画像の考査処理を行う。サーバ装置１は、注文内容及び考査結果を含む履歴情報やプリントデータを保存し、過去の注文を利用した「再注文」又は「複製」の注文を受け付けた場合は、過去の注文の考査結果を利用して、考査処理の省略を図る。
【００３３】
図３に示すように、サーバ装置１は、制御部１０、記憶部２０、及び通信部３０を備える。制御部１０は、サーバ装置１の全体を制御する中央処理装置（ＣＰＵ）である。制御部１０は、記憶部２０に記憶されているオペレーティングシステム（ＯＳ）やアプリケーションプログラムを読み出して実行することにより、各種機能を実現する。
【００３４】
記憶部２０は、制御部１０が各種の処理を実行するために必要なプログラムやデータ等を記憶するための記憶領域であり、ハードディスクや半導体メモリ等が用いられる。記憶部２０は、テンプレートＤＢ（データベース）２１、ユーザ画像ＤＢ２２、プリントデータＤＢ２３、注文情報ＤＢ２４、著名人画像ＤＢ２５、画像判定結果ＤＢ２６、及び履歴情報ＤＢ２７を有する。
【００３５】
テンプレートＤＢ２１は、テンプレートを記憶する記憶領域である。テンプレートは、ユーザ画像と合成される画像であり、ユーザ画像の配置位置を指定するボックスや、スタンプ、背景画像等の編集アイテムを含む。
【００３６】
注文情報ＤＢ２４は、注文番号、作品番号、注文者を識別する情報（会員番号）、注文した商品名、注文種別等を含む注文情報を記憶する記憶領域である。注文種別には、新規、再注文、及び複製のいずれかが登録される。注文種別が再注文又は複製である場合、注文情報には、過去の注文（オリジナルデータ）を特定するオリジナル作品番号がさらに含まれる。
【００３７】
図４は、注文情報の例を示す。注文種別が再注文又は複製である場合、オリジナル作品番号が登録される。
【００３８】
著名人画像ＤＢ２５は、スポーツ選手、俳優、タレント等の著名人の顔画像、インターネット上での著名人画像検索結果を記憶する記憶領域である。
【００３９】
履歴情報ＤＢ２７は、過去のプリント注文の作品番号、注文者の会員番号、考査結果等を含む履歴情報を記憶する記憶領域である。図５は、履歴情報の例を示す。
【００４０】
制御部１０は、受信部１１、編集処理部１２、注文処理部１３、考査処理部１４、及び差分抽出部１５を備える。受信部１１は、通信部３０を用いて、ユーザ端末７からユーザ画像のデータを受信し、ユーザ画像データをユーザ画像ＤＢ２２に格納する。制御部１０は、受信部１１が受信したユーザ画像の解像度やデータサイズから、印画に適した画像か否かを判定し、判定結果をユーザ端末７に通知してもよい。
【００４１】
編集処理部１２は、テンプレートやユーザ画像を選択する処理、選択されたユーザ画像をフレーム内に配置する処理、選択したスタンプを配置する処理等の画像編集が可能な編集画面を生成し、通信部３０を用いてユーザ端末７へ送信する。また、編集処理部１２は、複製による注文を受け付けた場合、過去の注文内容を編集する編集画面を生成する。
【００４２】
編集処理部１２は、ユーザがユーザ端末７を用いて編集画面で行った編集操作を受け付け、テンプレートやユーザ画像等が組み合わされた合成画像（プリント用画像）を生成する。生成されたプリント用画像のデータを含む、フォトブック作製用のプリントデータが、プリントデータＤＢ２３に格納される。プリントデータは、編集可能な形式のデータと、このデータをＰＤＦ形式に変換した工場５への送信用データとを含むものでもよい。
【００４３】
注文処理部１３は、ユーザ端末７から、注文種別の選択、プリント用画像を印画する物品の選択、作製する印画物６の数などの注文を受け付ける。注文種別は、新規、再注文、及び複製である。必要に応じて、決済部（図示略）が決済処理を行い、プリント注文が完了する。
【００４４】
プリント注文が完了すると、注文処理部１３は、プリント注文の注文番号、作品番号、注文者（ユーザ）の会員番号、注文商品名、注文種別等を組み合わせた注文情報を、注文情報ＤＢ２４に格納する。
【００４５】
考査処理部１４は、プリント注文されたフォトブックに含まれる各画像について考査を行い、フォトブックの作製に使用してよい画像であるか否かを判定する。例えば、考査処理部１４は、著名人の画像を用いたフォトブックの不正転売を防止するための考査を行う。各画像の考査結果は画像判定結果ＤＢ２６に登録される。考査処理部１４は、注文単位の考査結果と、作品番号、注文者の会員番号及び注文商品名とを組み合わせた履歴情報を、履歴情報ＤＢ２７に格納する。例えば、全ての画像が印画物作製可と判定された注文の履歴情報の考査結果にはＯＫが登録される。
【００４６】
また、考査処理部１４は、注文種別が再注文又は複製の場合、過去の注文の考査結果から、考査処理を省略可能か否か判定する。
【００４７】
差分抽出部１５は、注文種別が複製である場合、過去の注文のプリントデータと、今回の注文のプリントデータとを比較して、差分を抽出する。
【００４８】
図６は、再注文による注文処理を説明するフローチャートである。図２に示す注文履歴画面で再注文ボタンＢ２を押すと、注文処理部１３が注文画面を生成して表示する（ステップＳ１０１）。再注文は、前回注文と同じであるため、注文画面では、注文する商品等が確定し、変更できなくなっている。ユーザが注文数を選択すると、注文処理部１３は注文を受け付け、注文が完了する（ステップＳ１０２）。注文処理部１３は、過去の注文を特定するオリジナル作品番号を登録し、注文種別を「再注文」とした注文情報を注文情報ＤＢ２４に格納する。
【００４９】
編集処理部１２は、注文情報を参照し、オリジナル作品番号に対応するプリントデータ（オリジナルデータ）を、プリントデータＤＢ２３から取り出し、コピーして、今回注文のプリントデータとする（ステップＳ１０３）。
【００５０】
図７は、複製による注文処理を説明するフローチャートである。図２に示す注文履歴画面で複製ボタンＢ１を押すと、編集処理部１２が過去注文のプリントデータ（オリジナルデータ）をコピーし（ステップＳ２０１）、このプリントデータを編集する編集画面を表示する（ステップＳ２０２）。
【００５１】
ユーザは、編集画面で過去注文の内容を編集する（ステップＳ２０３）。注文処理部１３は、編集後の内容の注文を受け付ける（ステップＳ２０４）。注文処理部１３は、過去の注文を特定するオリジナル作品番号を登録し、注文種別を「複製」とした注文情報を注文情報ＤＢ２４に格納する。
【００５２】
次に、図８に示すフローチャートを用いて、考査処理部１４による考査処理について説明する。
【００５３】
考査処理部１４は、注文情報ＤＢ２４内の注文情報を参照し、考査を行うプリント注文の注文種別を判定する（ステップＳ１）。注文種別が再注文である場合、考査処理部１４は、この注文に対応する過去の注文の履歴情報に登録されている考査結果を確認する。過去の注文（前回注文）の考査結果がＯＫ（印画物作製可）の場合（ステップＳ２＿Ｙｅｓ）、考査処理部１４は、同一内容の今回の注文については考査不要と判定し、今回注文のプリントデータが工場５へ送信される（ステップＳ２０）。
【００５４】
過去の注文（前回注文）の考査結果がＮＧの場合（ステップＳ２＿Ｎｏ）、考査処理部１４は、考査が必要と判定し、ステップＳ１０以降の考査処理を行う。考査処理については後述する。
【００５５】
例えば、図４に示す注文情報において、作品番号８７２６１は注文種別が「再注文」であるため、考査処理部１４は、この注文に対応する過去の注文の考査結果を確認する。作品番号８７２６１のオリジナル作品番号は８５３６７であるため、考査処理部１４は、作品番号８５３６７の履歴情報を確認する。図５に示すように、作品番号８５３６７の考査結果はＯＫであるため、考査処理部１４は、作品番号８７２６１の注文は考査不要と判定する。
【００５６】
図４に示す注文情報において、作品番号８７２５２は注文種別が「再注文」であるため、考査処理部１４は、この注文に対応する過去の注文の考査結果を確認する。作品番号８７２５２のオリジナル作品番号は８４１６７であるため、考査処理部１４は、作品番号８４１６７の履歴情報を確認する。図５に示すように、作品番号８４１６７の考査結果はＮＧであるため、考査処理部１４は、作品番号８７２５２の注文は考査が必要と判定する。
【００５７】
注文種別が複製である場合、考査処理部１４は、この注文に対応する過去の注文の履歴情報に登録されている考査結果を確認する。過去の注文（前回注文）の考査結果がＮＧの場合（ステップＳ３＿Ｎｏ）、考査処理部１４は、考査が必要と判定し、ステップＳ１０以降の考査処理を行う。
【００５８】
過去の注文（前回注文）の考査結果がＯＫの場合（ステップＳ３＿Ｙｅｓ）、差分抽出部１５が、今回の注文のプリントデータと、前回注文のプリントデータ（オリジナルデータ）とを比較し（ステップＳ４）、差分を抽出する。
【００５９】
例えば、図４に示す注文情報において、作品番号８７２４１は注文種別が「複製」であるため、考査処理部１４は、この注文に対応する過去の注文の考査結果を確認する。作品番号８７２４１のオリジナル作品番号は８１３９１であるため、考査処理部１４は、作品番号８１３９１の履歴情報を確認する。図５に示すように、作品番号８１３９１の考査結果はＮＧであるため、考査処理部１４は、作品番号８７２４１の注文は考査が必要と判定する。
【００６０】
図４に示す注文情報において、作品番号８７２５３は注文種別が「複製」であるため、考査処理部１４は、この注文に対応する過去の注文の考査結果を確認する。作品番号８７２５３のオリジナル作品番号は８６９４３であるため、考査処理部１４は、作品番号８６９４３の履歴情報を確認する。図５に示すように、作品番号８６９４３の考査結果はＯＫであるため、差分抽出部１５は、作品番号８７２５３のプリントデータと、作品番号８６９４３のプリントデータとを比較し、差分を抽出する。
【００６１】
今回の注文のプリントデータと、前回注文のプリントデータ（オリジナルデータ）とに差分がない場合（ステップＳ５＿Ｎｏ）、考査処理部１４は、同一内容の今回の注文については考査不要と判定し、今回注文のプリントデータが工場５へ送信される（ステップＳ２０）。
【００６２】
今回の注文のプリントデータと、前回注文のプリントデータ（オリジナルデータ）とに差分がある場合（ステップＳ５＿Ｙｅｓ）、差分発生箇所を確認する。差分発生箇所の確認は、考査処理部１４が自動処理で行ってもよいし、考査者端末３に差分発生箇所を通知し、考査者が目視で行ってもよい。差分が僅かである場合、例えば、使用されているユーザ画像は同一であり、合成されているスタンプだけが変更された場合、差分は問題無いと判定され（ステップＳ６＿Ｙｅｓ）、今回注文のプリントデータが工場５へ送信される（ステップＳ２０）。
【００６３】
使用されているユーザ画像に変更があるなど差分が大きい場合、差分に問題があると判定され（ステップＳ６＿Ｎｏ）、ステップＳ１０以降の考査処理を行う。
【００６４】
注文種別が新規である場合も考査処理が行われる。考査処理では、まず、考査対象のプリント注文に含まれる画像のうち、未だ考査を行っていない画像を選択する（ステップＳ１０）。
【００６５】
考査処理部１４は、考査対象の画像に、顔画像が含まれているか否かを検出し、人物（人物画像）を含むものであるか否かを判定する（ステップＳ１１）。顔検出には、例えば、画像から目や口元などの明暗差の違いを一旦粗く分析して顔らしい部分を検出し、その後、顔らしい部分について詳細に分析する公知の技術を用いることができる。画像内の肌と推定される領域の割合（肌露出度）を検出して、人物画像を含むものであるか否かを判定してもよい。
【００６６】
人物画像を含まない場合（ステップＳ１２＿Ｎｏ）、著名人画像が含まれていないため、フォトブックの作製に使用してよい画像（印画ＯＫ画像）であると判定する（ステップＳ１４）。
【００６７】
人物画像を含む場合（ステップＳ１２＿Ｙｅｓ）、考査処理部１４は、著名人画像ＤＢ２５内の著名人の顔画像の中から、考査対象の画像から抽出した顔画像と類似した画像を検索する。例えば、公知の方法で顔画像の類似度を算出し、類似度が所定値以上となる著名人画像を検索する。
【００６８】
類似の著名人画像が無い場合（ステップＳ１３＿Ｎｏ）、フォトブックの作製に使用してよい画像であると判定する（ステップＳ１４）。
【００６９】
類似の著名人画像が検出された場合（ステップＳ１４＿Ｙｅｓ）、肖像権等を侵害した画像の可能性があるため、考査者による二次考査が必要な画像であると判定する（ステップＳ１５）。
【００７０】
考査対象のプリント注文に含まれる全ての画像について考査を行うまで、ステップＳ１０〜Ｓ１５を繰り返す（ステップＳ１６）。
【００７１】
考査対象のプリント注文に含まれる全ての画像について、考査処理部１４が、フォトブックの作製に使用してよい画像であると判定した場合（ステップＳ１７＿Ｙｅｓ）、考査処理が終了する。考査処理部１４は、考査結果を履歴情報に登録する。制御部１０は、通信部３０を用いて、考査を終えたプリント注文のプリントデータを工場５へ送信する（ステップＳ２０）。
【００７２】
考査対象のプリント注文に、考査者による二次考査が必要と判定された画像が含まれている場合（ステップＳ１７＿Ｎｏ）、制御部１０は、通信部３０を用いて、二次考査が必要な画像があることを考査者端末３に通知する（ステップＳ１８）。
【００７３】
考査者は、考査者端末３を用いて、目視による二次考査を行う（ステップＳ１９）。考査者は必要に応じて注文者に電話等で連絡をとり、画像の入手経路、フォトブックの用途、著名人との関係等を問い合わせる。著名人画像を利用する権利がないと考えられる場合は、プリント注文がキャンセルされる。考査者は、考査結果を履歴情報に登録する。
【００７４】
サーバ装置１は、プリント注文のプリントデータを工場５へ送信する。工場５では、プリント用画像を用紙にプリントし、製本してフォトブックを作製したり、ポスターを作製したりする。
【００７５】
このように、本実施形態によれば、考査処理装置としての機能を有するサーバ装置１が、ユーザがアップロードしたユーザ画像の考査（１次考査）を行う。考査者は、著名人（著名人に類似した人物）が写っており、二次考査が必要と判定された画像だけを確認すればよい。そのため、人手（目視）で行う考査対象の画像数を削減することができる。
【００７６】
また、再注文や複製等の、過去の注文を利用したプリント注文では、履歴情報に登録されている考査結果を参照し、過去の注文と同一内容又は差分が僅かであり、過去の注文の考査結果がＯＫであるものは、考査処理を省略する。これにより、考査の作業負荷をさらに低減できる。多数のプリント注文があった場合でも、考査のためのコストの増加を抑えると共に、印画物を早期に作製して、ユーザに納品することができる。
【００７７】
上記実施形態では、サーバ装置１が著名人画像ＤＢ２５を備えていたが、著名人画像ＤＢ２５はサーバ装置１とは別のサーバ装置に設けられていてもよい。また、考査処理部１４は、ウェブ全体から類似の著名人画像を検索してもよい。
【００７８】
上記実施形態では、サーバ装置１が考査処理部１４を備えていたが、プリント注文に含まれるユーザ画像を通信部３０が他サーバ装置へ転送し、この他サーバ装置で１次考査（著名人画像との類否判断）を行い、フォトブックの作製に使用してよい画像であるか、又は考査者による二次考査が必要であるかを判定してもよい。サーバ装置１の通信部３０は、他サーバ装置から、判定結果を受信する。サーバ装置１は、全てのユーザ画像を他サーバ装置へ送信してもよいし、顔検出を行い、人物画像が含まれていると判定したユーザ画像のみを他サーバ装置へ送信してもよい。
【００７９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８０】
１  サーバ装置
３  考査者端末
５  工場
６  印画物
７  ユーザ端末
１０  制御部
１１  受信部
１２  編集処理部
１３  注文処理部
１４  考査処理部
１５  差分抽出部
２０  記憶部
３０  通信部
【図１】
2019053410.tif 000003
【図２】
2019053410.tif 000004
【図３】
2019053410.tif 000005
【図４】
2019053410.tif 000006
【図５】
2019053410.tif 000007
【図６】
2019053410.tif 000008
【図７】
2019053410.tif 000009
【図８】
2019053410.tif 000010